(57)【要約】【課題】趣向性を向上させることが可能な遊技機の提供を目的とする。【解決手段】本発明のパチンコ遊技機１０は、遊技球が入球可能な１つの役物球入口３０と、遊技球を排出可能な２つの役物球出口３１，３２を有した振分役物４０を、遊技球が流下する遊技領域Ｒ１に設け、その振分役物４０に役物球入口３０に入球した遊技球を何れかの役物球出口３１，３２に振り分ける複数の振分部４１，４２を備え、複数の振分部４１，４２を、それぞれ１つの入球部と、２つの出球部と、入球部に進入した遊技球を２つの出球部へと交互に振り分ける流下振分可動部材５１，５２とを有した振分構造とし、入球部が役物球入口３０になった第１段目の振分部４１の下流側に第２の振分部４２を連ねると共に、第１の役物球出口３１を振分部４１の右出球部４１Ｒに連絡し、第２の役物球出口３２を振分部４２の左出球部４２Ｌに連絡した構成となっている。【選択図】図２
2015202263.tif 000002
【特許請求の範囲】
【請求項１】
遊技球が入球可能な１つの役物球入口と、遊技球を排出可能な複数の役物球出口を有した振分役物を、遊技球が流下する遊技領域に設け、その振分役物の前記役物球入口に入球した遊技球を何れかの前記役物球出口に振り分ける複数の振分部を備えた遊技機において、
前記複数の振分部の全てを、１つの入球部と、２つの出球部と、前記入球部に進入した遊技球を２つの前記出球部へと交互に振り分けるように可動する流下振分可動部材とを有した振分構造とし、前記入球部が前記役物球入口になった第１段目の前記振分部の下流側に下段側の前記振分部を連ねると共に、前記複数の役物球出口を何れかの前記振分部の前記出球部に連絡し、
前記役物球入口から入球した遊技球が、前記複数の役物球出口に対して所定の順番で排出するように前記複数の振分部を配置したことを特徴とする遊技機。
【請求項２】
前記流下振分可動部材は、前記入球部から流下する遊技球が当接することにより自重で前記２つの前記出球部へと交互に振り分けるように可動する構成であることを特徴とする請求項１に記載の遊技機。
【請求項３】
前記複数の役物球出口の排出する所定の順番を一周期として、一周期した際に前記役物球入口から入球した遊技球が再度同じ所定の順番で排出することを特徴とする請求項１又は２に記載の遊技機。
【請求項４】
前記第１段目の振分部の２つの前記出球部の各々に連なる前記下段側の振分部の数を異ならせることを特徴とする請求項１乃至３の何れか１の請求項に記載の遊技機。
【請求項５】
複数の前記振分部の前記出球部同士を連絡した合流部を備えたことを特徴とする請求項１乃至４の何れか１の請求項に記載の遊技機。
【請求項６】
前記役物球出口を２つ備えており、前記役物球入口から入球した遊技球が所定の順番で排出するようにし、少なくとも１つの前記役物球出口は連続して排出する構成であることを特徴とする請求項１乃至５の何れか１の請求項に記載の遊技機。
【請求項７】
前記振分役物が有する前記振分部を、前記第１段目の振分部と、その第１段目の振分部の一方の前記出球部のみに連なる第２の前記振分部との２つとすると共に、
前記第１段目の振分部の他方の前記出球部と前記第２の振分部の他方の前記出球部との前記合流部を備え、
前記振分役物が有する前記役物球出口を、前記合流部に連なる第１の前記役物球出口と、前記第２の振分部の一方の前記出球部に連なる第２の前記役物球出口との２つとしたことを特徴とする請求項６に記載の遊技機。
【請求項８】
前記役物球出口を３つ以上備えており、前記役物球入口から入球した遊技球が所定の周期でかつ所定の順番で排出することを特徴とする請求項１乃至５の何れか１の請求項に記載の遊技機。
【請求項９】
前記役物球出口を３つ以上横一列に並べたことを特徴とする請求項８に記載の遊技機
【請求項１０】
前記流下振分可動部材は、回動軸を中心に一方の前記出球部側と他方の前記出球部側とに傾動すると共に、
前記入球部側の上方に向けて延びた上方規制部と、
前記一方の出球部側に延びて前記上方規制部との間で第１の受容部を形成する第１規制部と、
前記他方の出球部側に延びて前記上方規制部との間で第２の受容部を形成する第２規制部と、
前記第２の受容部が遊技球を受容可能となりかつ前記第１の受容部から遊技球を排出可能となるように前記上方規制部が前記一方の出球部側に傾いた第１傾動位置と、前記第１の受容部が遊技球を受容可能となりかつ前記第２の受容部から遊技球を排出可能となるように前記上方規制部が前記他方の出球部側に傾いた第２傾動位置とに前記流下振分部材を位置決めする傾動規制ストッパとを備え、
前記流下振分可動部材の重心を前記上方規制部上に配置し、
前記第２傾動位置で前記第１の受容部に受容された遊技球の重心が前記回動軸に対して前記流下振分可動部材の重心と反対側に位置することで、その遊技球の自重によって前記流下振分可動部材が前記第１傾動位置へと傾動すると共に、前記第１傾動位置で前記第２の受容部に受容された遊技球の重心が前記回動軸に対して前記流下振分可動部材の重心と反対側に位置することで、その遊技球の自重によって前記流下振分可動部材が前記第２傾動位置へと傾動するように構成したことを特徴とする請求項１乃至９の何れか１の請求項に記載の遊技機。
【発明の詳細な説明】
【技術分野】
【０００１】
本発明は、遊技球が入球可能な１つの役物球入口と、遊技球を排出可能な複数の役物球出口を有した振分役物を、遊技球が流下する遊技領域に備えた遊技機に関する。
【背景技術】
【０００２】
従来のこの種の遊技機としては、振分役物に備えた球振分部材によって、役物球入口に入球した遊技球を、１対の役物球出口に交互に振り分けるようにしたものが知られている（例えば、特許文献１参照）。
【先行技術文献】
【特許文献】
【０００３】
【特許文献１】特開２００６−３４６６３号公報（段落［００４８］、［００５２］、第５図）
【発明の概要】
【発明が解決しようとする課題】
【０００４】
ところが、上述した従来の遊技機では、遊技球が２つの流下経路を交互に流下するだけの極めて単調な流下態様であった為、趣向性が乏しいという問題があった。これに対し、例えば、遊技球をランダムに振り分けるようにしたものは、上記課題を解決する上で有用であったが、機種の多様化に応えるため、上記課題を解決することが可能な新規な遊技機の開発が望まれていた。
【０００５】
本発明は、上記事情に鑑みてなされたものであって、遊技の趣向性を向上させることが可能な遊技機の提供を目的とする。
【課題を解決するための手段】
【０００６】
上記目的を達成するためになされた請求項１の発明に係る遊技機は、遊技球が入球可能な１つの役物球入口と、遊技球を排出可能な複数の役物球出口を有した振分役物を、遊技球が流下する遊技領域に設け、その振分役物の役物球入口に入球した遊技球を何れかの役物球出口に振り分ける複数の振分部を備えた遊技機において、複数の振分部の全てを、１つの入球部と、２つの出球部と、入球部に進入した遊技球を２つの出球部へと交互に振り分けるように可動する流下振分可動部材とを有した振分構造とし、入球部が役物球入口になった第１段目の振分部の下流側に下段側の振分部を連ねると共に、複数の役物球出口を何れかの振分部の出球部に連絡し、役物球入口から入球した遊技球が、複数の役物球出口に対して所定の順番で排出するように複数の振分部を配置したところに特徴を有する。
【０００７】
請求項２の発明は、請求項１に記載の遊技機において、流下振分可動部材は、入球部から流下する遊技球が当接することにより自重で２つの出球部へと交互に振り分けるように可動する構成であるところに特徴を有する。
【０００８】
請求項３の発明は、請求項１又は２に記載の遊技機において、複数の役物球出口の排出する所定の順番を一周期として、一周期した際に役物球入口から入球した遊技球が再度同じ所定の順番で排出するところに特徴を有する。
【０００９】
請求項４の発明は、請求項１乃至３の何れか１の請求項に記載の遊技機において、第１段目の振分部の２つの出球部の各々に連なる下段側の振分部の数を異ならせるところに特徴を有する。
【００１０】
請求項５の発明は、請求項１乃至４の何れか１の請求項に記載の遊技機において、複数の振分部の出球部同士を連絡した合流部を備えたところに特徴を有する。
【００１１】
請求項６の発明は、請求項１乃至５の何れか１の請求項に記載の遊技機において、役物球出口を２つ備えており、役物球入口から入球した遊技球が所定の順番で排出するようにし、少なくとも１つの役物球出口は連続して排出する構成であるところに特徴を有する。  
【００１２】
請求項７の発明は、請求項６に記載の遊技機において、振分役物が有する振分部を、第１段目の振分部と、その第１段目の振分部の一方の出球部のみに連なる第２の振分部との２つとすると共に、第１段目の振分部の他方の出球部と第２の振分部の他方の出球部との合流部を備え、振分役物が有する役物球出口を、合流部に連なる第１の役物球出口と、第２の振分部の一方の出球部に連なる第２の役物球出口との２つとしたところに特徴を有する。
【００１３】
請求項８の発明は、請求項１乃至５の何れか１の請求項に記載の遊技機において、役物球出口を３つ以上備えており、役物球入口から入球した遊技球が所定の周期でかつ所定の順番で排出するところに特徴を有する。
【００１４】
請求項９の発明は、請求項８に記載の遊技機において、役物球出口を３つ以上横一列に並べたところに特徴を有する。
【００１５】
請求項１０の発明は、請求項１乃至９の何れか１の請求項に記載の遊技機において、流下振分可動部材は、回動軸を中心に一方の出球部側と他方の出球部側とに傾動すると共に、入球部側の上方に向けて延びた上方規制部と、一方の出球部側に延びて上方規制部との間で第１の受容部を形成する第１規制部と、他方の出球部側に延びて上方規制部との間で第２の受容部を形成する第２規制部と、第２の受容部が遊技球を受容可能となりかつ第１の受容部から遊技球を排出可能となるように上方規制部が一方の出球部側に傾いた第１傾動位置と、第１の受容部が遊技球を受容可能となりかつ第２の受容部から遊技球を排出可能となるように上方規制部が他方の出球部側に傾いた第２傾動位置とに流下振分部材を位置決めする傾動規制ストッパとを備え、流下振分可動部材の重心を上方規制部上に配置し、第２傾動位置で第１の受容部に受容された遊技球の重心が回動軸に対して流下振分可動部材の重心と反対側に位置することで、その遊技球の自重によって流下振分可動部材が第１傾動位置へと傾動すると共に、第１傾動位置で第２の受容部に受容された遊技球の重心が回動軸に対して流下振分可動部材の重心と反対側に位置することで、その遊技球の自重によって流下振分可動部材が第２傾動位置へと傾動するように構成したところに特徴を有する。
【発明の効果】
【００１６】
［請求項１の発明］
請求項１の発明によれば、振分役物に複数の振分部を備え、それら複数の振分部の全てを、１つの入球部と、２つの出球部と、入球部に進入した遊技球を２つの出球部へと交互に振り分ける流下振分可動部材とを有した振分構造とし、入球部が役物球入口になった第１段目の振分部の下流側に下段側の振分部を連ねると共に、複数の役物球出口を何れかの振分部の出球部に連絡したから、少なくとも３種類以上の異なる流下経路で遊技球を流下させることができる。しかも、同じ流下経路で連続して流下しないように、３種類以上の流下経路を、一定の順番で毎回変えることができるから、従来よりも変化に富んだ流下態様にすることができ、遊技の趣向性を向上させることができる。その一方で、複数の各役物球出口における個々の排出頻度は一定になるから、ランダムに振り分けるものに比べて、遊技性に安定感を付与することが可能になる。
【００１７】
［請求項２の発明］
請求項２の構成によれば、電気的駆動源やセンサなどの部材を減らすことが可能になり、また遊技球により振分部材を動かすという趣向性を高めることが可能になる。
【００１８】
［請求項３の発明］
請求項３の構成によれば、それぞれの役物球出口からの遊技球の排出量を安定させることが可能になる。
［請求項４の発明］
請求項４の構成によれば、振分役物内の遊技球の動きが多彩になり、趣向性を高めることが可能になる。
【００１９】
［請求項５の発明］
請求項５の発明によれば、複数の振分部の出球部同士を連絡した合流部を備えることで、複数の役物球出口の間で遊技球の排出頻度を異ならせることが可能になり、更なる趣向性の向上を図ることができる。
【００２０】
［請求項６の発明］
請求項６の発明によれば、役物球出口が２つという少ない数でも排出する順番が変わってくるため、遊技球の排出する順番に対して趣向性を高めることが可能になる。
【００２１】
［請求項７の発明］
請求項７の構成によれば、第１の役物球出口からは、「４球中３球（３／４）」の頻度で遊技球を排出させることができ、第２の役物球出口からは「４球中１球（１／４）」の頻度で遊技球を排出させることができる。
【００２２】
詳細には、第１段目の振分部で一方の出球部に振り分けられかつ、第２の振分部で一方の出球部に振り分けられて、第２の役物球出口から排出された遊技球を「１球目」とした場合、２球目の遊技球は、第１段目の振分部で他方の出球部に振り分けられ、合流部を経て第１の役物球出口から排出される。また、３球目の遊技球は、第１段目の振分部で一方の出球部に振り分けられかつ、第２の振分部で他方の出球部に振り分けられて、合流部を経て第１の役物球出口から排出される。４球目の遊技球は、２球目の遊技球と同じ流下経路で流下して第１の役物球出口から排出される。そして、４球目の遊技球が第２の振分部を通過した時点で、２つの流下振分可動役物は、それぞれ１球目の遊技球が通過する前の状態に戻される。５球目以降も、上述した１〜４球目の遊技球のように流下経路を一定の順番で毎回変えながら流下する。
【００２３】
［請求項８の発明］
請求項８の構成によれば、役物球出口が３つ以上の複数あり、遊技球の排出口が多様になるため、趣向性を高めることが可能になる。
【００２４】
［請求項９の発明］
請求項９の発明によれば、役物球出口を３つ以上横一列に並べたので、振分役物を通過した後の遊技球の流下態様を従来よりも多様化することができ、更なる趣向性の向上を図ることができる。
【００２５】
［請求項１０の発明］
請求項１の発明には、遊技球を検出するセンサを適切な位置に設けておき、センサの検出信号に基づいて流下振分可動部材を電気的駆動源により第１傾動位置と第２傾動位置とに切り替えるようにした構成も含まれるが、このような構成は、コスト（部品コストやランニングコスト）がかかるという問題がある。また、例えば、複数の遊技球が間隔を空けずに連続して振分部に進入した場合に、流下振分可動部材の位置の切り替えが間に合わない虞がある。
【００２６】
これに対し、請求項１０の発明によれば、振分部を通過する遊技球の自重でもって流下振分可動部材を第１傾動位置と第２傾動位置とに切り替えることができるから、電気的駆動源やセンサが不要になり、コストを抑えることができる。また、振分部を遊技球が通過するのと同時に、流下振分可動部材の位置を切り替えることができるから、複数の遊技球が連続的に振分部に進入した場合でも、位置の切り替えを間に合わせることができる。
【図面の簡単な説明】
【００２７】
【図１】本発明の一実施形態に係るパチンコ遊技機の正面図
【図２】振分役物の正面図
【図３】（Ａ）第１及び第２の流下振分可動部材が共に第１傾動位置のときの遊技球の流下経路を示す図、（Ｂ）第１の流下振分可動部材が第２傾動位置でかつ第２の流下振分可動部材が第１傾動位置のときの遊技球の流下経路を示す図
【図４】（Ａ）第１の流下振分可動部材が第１傾動位置でかつ第２の流下振分可動部材が共に第２傾動位置のときの遊技球の流下経路を示す図、（Ｂ）第１及び第２の流下振分可動部材が共に第２傾動位置のときの遊技球の流下経路を示す図
【図５】他の実施形態（１）に係る振分役物の正面図
【図６】（Ａ）他の実施形態（２）に係る振分役物の正面図、（Ｂ）他の実施形態（３）に係る振分役物の正面図
【図７】（Ａ）他の実施形態（４）に係る振分役物の正面図、（Ｂ）他の実施形態（５）に係る振分役物の正面図
【図８】（Ａ）他の実施形態（６）に係る振分役物の正面図、（Ｂ）他の実施形態（７）に係る振分役物の正面図
【図９】他の実施形態（８）に係る振分役物の正面図
【発明を実施するための形態】
【００２８】
以下、本発明の「遊技機」としてのパチンコ遊技機１０に係る一実施形態を、図１〜図４に基づいて説明する。図１に示すように、パチンコ遊技機１０は、遊技盤１１の前面に遊技球が流下可能な遊技領域Ｒ１を備え、その遊技領域Ｒ１をパチンコ遊技機１０の前面から視認可能となっている。遊技領域Ｒ１には、液晶表示部１２や複数の入賞部が配置されている。遊技領域Ｒ１の下方には、遊技球を貯留するための受皿２０と、その受皿に貯留された遊技球を遊技領域Ｒ１に向けて打ち込むための発射ハンドル２１とが備えられている。
【００２９】
液晶表示部１２は、遊技領域Ｒ１のやや上寄り位置に配置されており、遊技の当否判定結果や演出画像等を表示する。液晶表示部１２の周囲は、遊技盤１１の前面に突出した表示枠１２Ｗで囲まれている。
【００３０】
液晶表示部１２の左右両側には風車１３，１３が備えられており、それら風車１３，１３の下方には、入賞ゲート１４，１４が備えられている。入賞ゲート１４，１４は、上下方向に貫通した門形構造をなしており、遊技球が通過可能となっている。
【００３１】
液晶表示部１２の真下であって、遊技領域Ｒ１のほぼ中央には、後述する振分役物４０が設けられており、その振分役物４０の左側方には、普通入賞部１５が設けられている。普通入賞部１５は、上面が常時開放したポケット構造をなしており、この普通入賞部１５に遊技球が入賞すると、所定数の遊技球が賞球として払い出される。
【００３２】
振分役物４０の下方には、始動入賞部１６が設けられており、振分役物４０の右側方には、大入賞部１８が設けられている。大入賞部１８は、遊技盤１１の前面に開放した横長開口部を備え、その横長開口部が、常には、横長の可動扉１８Ａにて閉鎖されて遊技球が進入不可能となっている。
【００３３】
始動入賞部１６は上面が開放したポケット構造をなすと共に、その開口縁の左右両側には１対の可動翼片１６Ａ，１６Ａが備えられている。これら可動翼片１６Ａ，１６Ａは、常には起立状態になっていて、始動入賞部１６への遊技球の進入が禁止されている。
【００３４】
入賞ゲート１４を遊技球が通過すると当否判定が行われ、その当否判定結果を報知するための普通図柄（図示せず）が、液晶表示部１２にて変動表示した後、停止表示する。その停止表示した普通図柄が、所定の当たり図柄であった場合には、可動翼片１６Ａ，１６Ａが左右に倒されて始動入賞部１６が開放状態になり、可動翼片１６Ａ，１６Ａを案内にして、始動入賞部１６に入球可能になる。
【００３５】
また、始動入賞部１６に遊技球が入賞すると、所定数の遊技球が賞球として払い出されると共に当否判定が行われ、その当否判定結果を報知するための特別図柄（図示せず）が、液晶表示部１２にて変動表示した後、停止表示する。その停止表示した特別図柄が、所定の当たり図柄であった場合には、大入賞部１８の可動扉１８Ａが前側に倒されて、大入賞部１８が開放状態になり、可動扉１８Ａを案内にして、大入賞部１８に遊技球が入賞可能になる。大入賞部１８に遊技球が入賞すると、所定数の遊技球が賞球として払い出される。ここで、遊技領域Ｒ１の最下部にはアウト口１７が設けられており、始動入賞部１６や大入賞部１８等に入賞しなかった遊技球は、全てこのアウト口１７からパチンコ遊技機１０の後側に回収される。
【００３６】
さて、図２に示すように、振分役物４０は、上方に常時開放した役物球入口３０と、下方に常時開放した複数（本実施形態では２つ）の役物球出口３１，３２と、それら役物球入口３０と複数の役物球出口３１，３２との間に配置された複数（本実施形態では２つ）の振分部４１，４２とを備えている。振分役物４０の前面は透明な前壁（図示せず）によって塞がれており、その前壁を通して振分役物４０内を流下する遊技球を視認することが可能となっている。また、役物球入口３０及び役物球出口３１，３２は、遊技球がちょうど１つだけ通過可能な大きさとなっている。
【００３７】
振分部４１，４２は、それぞれ１つの入球部と、２つの出球部と、入球部に進入した遊技球を２つの出球部へと交互に振り分ける流下振分可動部材とを有した強制振分構造となっている。
【００３８】
詳細には、上流側に配置された振分部４１における入球部は、役物球入口３０となっており、その役物球入口３０に進入した遊技球を、流下振分可動部材５１によって２つの出球部４１Ｌ，４１Ｒへと交互に振り分けるように構成されている。下流側に配置された振分部４２の入球部４２Ｅは、振分部４１の一方の出球部４１Ｌのみに連なっている。そして、振分部４２では、入球部４２Ｅに進入した遊技球を、流下振分可動部材５２によって２つの出球部４２Ｌ，４２Ｒへと交互に振り分けるように構成されている。
【００３９】
以下、振分部４１，４２を区別する場合には、「第１段目の振分部４１」及び「第２の振分部４２」という。また、第１段目の振分部４１に備えた１対の出球部４１Ｌ，４１Ｒを区別するために、以下、「左出球部４１Ｌ」、「右出球部４１Ｒ」といい、第２の振分部４２に備えた１対の出球部４２Ｌ，４２Ｒを区別するために、以下、「左出球部４２Ｌ」、「右出球部４２Ｒ」という。
【００４０】
図２に示すように、第１段目の振分部４１に備えた右出球部４１Ｒは、右斜め下方に延びてから鉛直下方に延び、さらに左斜め下方に延びている。その右出球部４１Ｒと、第２の振分部４２に備えた右出球部４２Ｒとが合流している。なお、右出球部４１Ｒは、本発明における「第１段目の振分部の他方の出球部」に相当し、右出球部４２Ｒは、本発明における「第２の振分部の他方の出球部」に相当する。
【００４１】
振分役物４０の下端部には、１対の役物球出口３１，３２が横一列にして設けられている。第１の役物球出口３１は、右出球部４１Ｒ，４２Ｒ同士の合流部４４に連なっている。即ち、第１の役物球出口３１は、第１の右出球部４１Ｒ或いは第２の右出球部４２Ｒを通過した遊技球を排出可能となっている。第２の役物球出口３２は、第１の役物球出口３１の左側方に配置されており、第２の振分部４２に備えた左出球部４２Ｌと連通している。即ち、第２の役物球出口３２は、左出球部４２Ｌを通過した遊技球だけを排出可能となっている。なお、第１と第２の役物球出口３１，３２を横一列ではなく、上下方向で互いにずらして配置してもよい。
【００４２】
図１に示すように、第２の役物球出口３２は、始動入賞部１６の真上に配置されている。従って、始動入賞部１６が開放状態のときに第２の役物球出口３２から排出された遊技球は、ほぼ確実に始動入賞部１６に入賞する。これに対し、第１の役物球出口３１の下方には何ら入賞部は配置されておらず、第１の役物球出口３１から排出された遊技球は、始動入賞部１６の側方を素通りしてアウト口１７に転入する。
【００４３】
図２に示すように、各振分部４１，４２に備えられた流下振分可動部材５１，５２は、同一の羽根車構造をなしており、遊技盤１１の前面に対して垂直な回動軸５１Ｊ，５２Ｊを中心にして、第１傾動位置（図２に示す状態）と第２傾動位置（図１に示す状態）との間で傾動可能となっている。
【００４４】
詳細には、第１段目の振分部４１に備えられた第１の流下振分可動部材５１は、回動軸５１Ｊから上方（振分部４１の入球部。役物球入口３０）に向かって延びた上方規制部５１Ａと、回動軸５１Ｊから左出球部４１Ｌ側に延びて上方規制部５１Ａとの間で左受容部５１Ｌ（本発明の「第１の受容部」に相当する）を形成する左規制部５１Ｂ（本発明の「第１規制部」に相当する）と、回動軸５１Ｊから右出球部４１Ｒ側に延びて、上方規制部５１Ａとの間で右受容部５１Ｒ（本発明の「第２の受容部」に相当する）を形成する右規制部５１Ｃ（本発明の「第２規制部」に相当する）とを備えている。左受容部５１Ｌ及び右受容部５１Ｒには、それぞれ遊技球が１つだけ受容可能となっている。そして、第１傾動位置では、上方規制部５１Ａが左出球部４１Ｌ側に傾いて、右受容部５１Ｒが役物球入口３０と対向し、その右受容部５１Ｒに遊技球を受け入れ可能となり、第２傾動位置では、上方規制部５１Ａが右出球部４１Ｒ側に傾いて、左受容部５１Ｌが役物球入口３０と対向し、その左受容部５１Ｌに遊技球を受け入れ可能となる。
【００４５】
また、第１の流下振分可動部材５１の真下には、左規制部５１Ｂ及び右規制部５１Ｃの回動領域内で水平に延びた壁状の傾動規制ストッパ３５が設けられており、その傾動規制ストッパ３５に、左規制部５１Ｂ及び右規制部５１Ｃの先端が当接することで、第１の流下振分可動部材５１が、上記した第１傾動位置と第２傾動位置とに位置決めされる。
【００４６】
第２の振分部４２に備えられた第２の流下振分可動部材５２は、回動軸５２Ｊから上方（入球部４２Ｅ）に向かって延びた上方規制部５２Ａと、回動軸５２Ｊから左出球部４２Ｌ側に延びて上方規制部５２Ａとの間で左受容部５２Ｌ（本発明の「第１の受容部」に相当する）を形成する左規制部５２Ｂ（本発明の「第１規制部」に相当する）と、回動軸５２Ｊから右出球部４２Ｒ側に延びて、上方規制部５２Ａとの間で右受容部５２Ｒ（本発明の「第２の受容部」に相当する）を形成する右規制部５２Ｃ（本発明の「第２規制部」に相当する）とを備えている。左受容部５２Ｌ及び右受容部５２Ｒは、それぞれ遊技球を１つだけ受容可能となっている。そして、第１傾動位置では、上方規制部５２Ａが左出球部４２Ｌ側に傾いて、右受容部５２Ｒが入球部４２Ｅと対向し、その右受容部５２Ｒに遊技球を受け入れ可能となり、第２傾動位置では、上方規制部５２Ａが右出球部４２Ｒ側に傾いて左受容部５２Ｌが入球部４２Ｅと対向し、その左受容部５２Ｌに遊技球を受け入れ可能となる。
【００４７】
また、第２の流下振分可動部材５２の真下には、左規制部５２Ｂ及び右規制部５２Ｃの回動領域内で水平に延びた壁状の傾動規制ストッパ３６が設けられており、その傾動規制ストッパ３６に、左規制部５２Ｂ及び右規制部５２Ｃの先端が当接することで、第２の流下振分可動部材５２が、上記した第１傾動位置と第２傾動位置とに位置決めされる。
【００４８】
流下振分可動部材５１，５２は、第１傾動位置で右受容部５１Ｒ，５２Ｒに受け入れた遊技球の自重によって第２傾動位置に向かって回動すると共に、その回動に伴って右受容部５１Ｒ，５２Ｒから右出球部４１Ｒ，４２Ｒに遊技球を排出する。同様に、第２傾動位置で左受容部５１Ｌ，５２Ｌに受け入れた遊技球の自重によって第１傾動位置に向かって回動すると共に、その回動に伴って左受容部５１Ｌ，５２Ｌから左出球部４１Ｌ，４２Ｌに遊技球を排出する。
【００４９】
詳細には、図２に示すように、振分可動部材５１，５２の重心Ｇ１，Ｇ２は、上方規制部５１Ａ，５２Ａ上に配置されており、第１傾動位置で右受容部５１Ｒ，５２Ｒに受容された遊技球の重心Ｇ３が回動軸５１Ｊ，５２Ｊに対して流下振分可動部材５１，５２の重心Ｇ１，Ｇ２と反対側に位置することで、その遊技球の自重によって流下振分可動部材５１，５２が第２傾動位置へと傾動するように構成されている。これと同様に、第２傾動位置で左受容部５１Ｌ，５２Ｌに受容された遊技球の重心Ｇ３が回動軸５１Ｊ，５２Ｊに対して流下振分可動部材５１，５２の重心Ｇ１，Ｇ２と反対側に位置することで、その遊技球の自重によって流下振分可動部材５１，５２が第１傾動位置へと傾動するように構成されている。
【００５０】
本実施形態の構成は以上であり、次に本実施形態の動作説明を行う。発射ハンドル２１の操作によって遊技領域Ｒ１に打ち込まれた遊技球は、遊技領域Ｒ１に配置された障害釘（図示せず）や表示枠１２Ｗ、風車１３，１３等に接触しながらランダムな経路で流下し、そのうちの一部の遊技球が、表示枠１２Ｗの下方に回り込んで、役物球入口３０から振分役物４０内に進入する。
【００５１】
例えば、図３（Ａ）に示すように、第１及び第２の流下振分可動部材５１，５２が、共に第１傾動位置となっている状態で、役物球入口３０に進入した１球目の遊技球は、第１段目の振分部４１で右出球部４１Ｒへと振り分けられ、合流部４４を経て第１の役物球出口３１から排出される。ここで、第１段目の振分部４１を遊技球が通過するとき、第１の流下振分可動部材５１における右受容部５１Ｒに遊技球を受け入れると共に、右規制部５１Ｃが遊技球の自重を受けて第１の流下振分可動部材５１が回動軸５１Ｊを中心にして時計回りに回動し、第１の流下振分可動部材５１が第１傾動位置から第２傾動位置に切り替わる。即ち、図３（Ａ）の左端図から中央図への変化に示すように、１球目の遊技球が第１段目の振分部４１を通過した時点で、第１の流下振分可動部材５１のみが第２傾動位置に切り替わる。なお、第１の役物球出口３１から排出された遊技球は、始動入賞部１６の側方を素通りしてアウト口１７に転入する。
【００５２】
次に役物球入口３０に進入した２球目の遊技球は、図３（Ｂ）に示すように、第１段目の振分部４１で左出球部４１Ｌに振り分けられて第２の振分部４２に進入し、第２の振分部４２で右出球部４２Ｒに振り分けられて、合流部４４を経て、第１の役物球出口３１から排出される。ここで、第１段目の振分部４１を遊技球が通過するときに、第１の流下振分可動部材５１における左受容部５１Ｌに遊技球を受け入れると共に、左規制部５１Ｂが遊技球の自重を受けて第１の流下振分可動部材５１が回動軸５１Ｊを中心に反時計回りに回動し、第１の流下振分可動部材５１が第２傾動位置から第１傾動位置に切り替わる。また、第２の振分部４２を遊技球が通過するときに、第２の流下振分可動部材５２における右受容部５２Ｒに遊技球を受け入れると共に、右規制部５２Ｃが遊技球の自重を受けて第２の流下振分可動部材５２が回動軸５２Ｊを中心に時計回りに回動し、第２の流下振分可動部材５２が第１傾動位置から第２傾動位置に切り替わる。即ち、図３（Ｂ）の右端図に示すように、２球目の遊技球が第２の振分部４２を通過した時点で、第１の流下振分可動部材５１は第１傾動位置となり、第２の流下振分可動部材５２は第２傾動位置となる。なお、２球目の遊技球も、第１の役物球出口３１から排出されるため、始動入賞部１６の側方を素通りしてアウト口１７に転入する。
【００５３】
次に役物球入口３０に進入した３球目の遊技球は、図４（Ａ）に示すように、第１段目の振分部４１で第１の右出球部４１Ｒに振り分けられ、合流部４４を経て第１の役物球出口３１から排出される。また、第１段目の振分部４１を遊技球が通過するときに、その遊技球の自重で第１の流下振分可動部材５１が第１傾動位置から第２傾動位置に切り替わる。即ち、図４（Ａ）の中央図に示すように、３球目の遊技球が第１段目の振分部４１を通過した時点で、第１及び第２の流下振分可動部材５１，５２は、共に第２傾動位置となる。なお、３球目の遊技球も第１の役物球出口３１から排出されるため、始動入賞部１６の側方を素通りしてアウト口１７に転入する。
【００５４】
次に役物球入口３０に進入した４球目の遊技球は、図４（Ｂ）に示すように、第１段目の振分部４１で左出球部４１Ｌに振り分けられて第２の振分部４２に進入し、第２の振分部４２で左出球部４２Ｌに振り分けられて第２の役物球出口３２から排出される。第２の役物球出口３２から排出された遊技球は、始動入賞部１６の真上から流下するので、第２の役物球出口３２から遊技球が排出された時点で、始動入賞部１６が開放状態（可動翼片１６Ａ，１６Ａが左右に倒された状態）であれば、ほぼ確実に始動入賞部１６に入球する。
【００５５】
ここで、４球目の遊技球が第１段目の振分部４１を通過するときに、遊技球の自重によって第１の流下振分可動部材５１が第２傾動位置から第１傾動位置に切り替わり、第２の振分部４２を遊技球が通過するときに、遊技球の自重によって第２の流下振分可動部材５２が第２傾動位置から第１傾動位置に切り替わる。即ち、図４（Ｂ）の右端図に示すように、４球目の遊技球が第２の振分部４２を通過した時点で、第１及び第２の流下振分可動部材５１，５２は、共に第１傾動位置となって、１球目の遊技球が入る前の元の状態に戻される。
【００５６】
以下、第１段目の振分部４１を遊技球が通過するたびに、第１の流下振分可動部材５１が第１傾動位置と第２傾動位置とに交互に切り替わり、第２の振分部４２を遊技球が通過するたびに、第２の流下振分可動部材５２が第１傾動位置と第２傾動位置とに交互に切り替わって、上述した３種類の流下経路で第１又は第２の役物球出口３１，３２から遊技球が排出される。また、第１の役物球出口３１からは、「４球中３球（３／４）の頻度で遊技球を排出させることができ、第２の役物球出口３２からは、「４球中１球（１／４）」の頻度で遊技球を排出させることができる。
【００５７】
このように、本実施形態によれば、第１段目の振分部４１に備えた左出球部４１Ｌ及び右出球部４１Ｒと、左出球部４１Ｌに連なった第２の振分部４２と、その第２の振分部４２に備えた左出球部４２Ｌ及び右出球部４２Ｒとを備え、第１段目の振分部４１に遊技球が進入する度に、第１段目の振分部４１に設けられた第１の流下振分可動部材５１が、左出球部４１Ｌと右出球部４１Ｒとに交互に遊技球を振り分けると共に、第２の振分部４２に遊技球が進入する度に、第２の振分部４２に設けられた第２の流下振分可動部材５２が、左出球部４２Ｌと右出球部４２Ｒとに交互に遊技球を振り分けるように構成されているから、３種類の異なる流下経路で遊技球を流下させることができる。しかも、同じ流下経路で連続して流下しないように、３種類の流下経路を一定の順番で毎回変えることができるので、遊技球の流下態様が変化に富んだものとなり、趣向性を向上することが可能になる。
【００５８】
また、第１と第２の振分部４１，４２に備えた右出球部４１Ｒ，４２Ｒ同士が合流して、その合流部４４に第１の役物球出口３１が連なる一方、第２の振分部４２に備えた左出球部４２Ｌに、第２の役物球出口３２が連なっているから、第１の役物球出口３１からの遊技球の排出頻度と、第２の役物球出口３２からの遊技球の排出頻度とを互いに異ならせることができ、更なる趣向性の向上を図ることができる。
【００５９】
本実施形態の場合、第１の役物球出口３１からは「４球中３球（３／４）」の頻度で遊技球が排出され、第２の役物球出口３２からは「４球中１球（１／４）」の頻度で遊技球が排出される。より詳細には、第１の役物球出口３１から３球連続して排出された後、第２の役物球出口３２から１球排出されるという、一定の順番で第１と第２の球出口３１，３２から遊技球を排出させることができる。
【００６０】
また、第１と第２の役物球出口３１，３２における個々の排出頻度は一定であるから、ランダムに遊技球を振り分けるものに比べて、遊技性に安定感を持たせることができる。具体的には、振分役物４０を通過した遊技球は、一定の頻度で始動入賞部１６の真上に位置する第２の役物球出口３２から排出されるから、始動入賞部１６に入賞させるチャンスが一定の頻度（本実施形態では「４球に１球」の頻度）で訪れるという安定感のある遊技性にすることができる。
【００６１】
ここで、例えば、遊技球を検出するセンサを適切な位置に設けておき、センサの検出信号に基づいて流下振分可動部材５１，５２をモータ等の電気的駆動源によって第１傾動位置と第２傾動位置とに交互に切り替えるようにしても、上記した本実施形態と同等の作用効果を奏する。しかしながら、このような構成はコスト（部品コストやランニングコスト）がかかるという問題がある。また、複数の遊技球が間隔を空けずに連続して振分部４１，４２に進入した場合に、流下振分可動部材５１，５２の位置の切り替えが間に合わない虞がある。
【００６２】
これに対し、本実施形態によれば、振分部４１，４２を通過した遊技球の自重でもって流下振分可動部材５１，５２を第１傾動位置と第２傾動位置とに切り替えることができるから、電気的駆動源やセンサが不要になり、コストを抑えることができる。また、振分部４１，４２を遊技球が通過するのと同時に、流下振分可動部材５１，５２の位置を切り替えることができるから、複数の遊技球が連続的に振分部４１，４２に進入した場合でも、流下振分可動部材５１，５２の位置の切り替えを間に合わせることができる。
【００６３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６４】
（１）上記実施形態では、第１段目の振分部４１の左出球部４１Ｌ及び右出球部４１Ｒに連なる下段側の振分部の数を異ならせかつ、２つの振分部４１，４２の出球部４１Ｒ，４２Ｒ同士が連絡した合流部４４を備えた構成であったが、合流部を設けずに、第１段目の振分部４１の２つの出球部４１Ｌ，４２Ｒに連なる下段側の振分部の数を異ならせただけの構成でもよい。具体的には、図５に示すように、右出球部４１Ｒ，４２Ｒ同士を合流させずに、右出球部４１Ｒを第１の役物球出口３１に連通させ、右出球部４２Ｒを、第１と第２の役物球出口３１，３２の間に配置された第３の役物球出口３３に連通させてもよい。この構成にした場合、遊技球は、以下のような流下経路で流下する。
【００６５】
例えば、第１及び第２の流下振分可動部材５１，５２が共に第１傾動位置の状態で振分役物４０に進入した遊技球を「１球目」とすると、１球目の遊技球は、第１段目の振分部４１で右出球部４１Ｒに振り分けられて、第１の役物球出口３１から排出される。２球目の遊技球は、第１段目の振分部４１で左出球部４１Ｌに振り分けられ、第２の振分部４２で右出球部４２Ｒに振り分けられて第３の役物球出口３３から排出される。３球目の遊技球は、１球目の遊技球と同じ流下経路で第１の役物球出口３１から排出される。４球目の遊技球は、第１段目の振分部４１で左出球部４１Ｌに振り分けられ、第２の振分部４２でも左出球部４２Ｌに振り分けられて第２の役物球出口３２から排出される。そして、「４球目」の遊技球が排出された時点で、第１及び第２の流下振分可動部材５１，５２が共に第１傾動位置（１球目の遊技球が入る前の元の状態）に戻される。
【００６６】
この構成では、３種類の流下経路を一定の順番で毎回変えながら遊技球を流下させることができる。また、第１〜第３の各役物球出口３１，３２，３３からの遊技球の排出頻度は、順に「１／２」、「１／４」、「１／４」であって一律ではないから、更なる趣向性の向上を図ることができる。なお、これら３つの役物球出口３１，３２，３３のうち、何れか１つ（例えば、排出頻度が比較的低い第２の役物球出口３２又は第３の役物球出口３３）の下方に、遊技者に特典（賞球、当否判定抽選）を付与する入賞部を配置してもよい。
【００６７】
（２）上記第実施形態の振分役物４０は、振分部を２つだけ（振分部４１，４２）備えていたが、以下のように、振分部を３つ以上備えた構成としても、上記実施形態と同等の効果を奏する。
【００６８】
例えば、図６（Ａ）に示す振分役物４０のように、振分部４１，４２の右出球部４１Ｒ，４２Ｒ同士を合流させずに、右出球部４１Ｒに第１の役物球出口３１を連ね、右出球部４２Ｒに第３の振分部４３（入球部４３Ｅ）を連ねて、第３の振分部４３に備えた左出球部４３Ｌと右出球部４３Ｒとに、それぞれ第３の役物球出口３３と第４の役物球出口３４を連ねた構成としてもよい。この構成にした場合、遊技球は、以下のような流下経路で流下する。
【００６９】
例えば、第１〜第３の流下振分可動部材５１〜５３が全て第１傾動位置の状態で振分役物４０に進入した遊技球を「１球目」とすると、１球目の遊技球は、第１段目の振分部４１で右出球部４１Ｒに振り分けられて第１の役物球出口３１から排出される。２球目の遊技球は、第１段目の振分部４１で左出球部４１Ｌに振り分けられ、第２の振分部４２で右出球部４２Ｒに振り分けられ、第３の振分部４３で右出球部４３Ｒに振り分けられて第４の役物球出口３４から排出される。３球目の遊技球は、１球目と同じ流下経路で第１の役物球出口３１から排出される。４球目の遊技球は、第１段目の振分部４１で左出球部４１Ｌに振り分けられ、第２の振分部４２で左出球部４２Ｌに振り分けられて第２の役物球出口３２から排出される。５球目の遊技球は、１，３球目と同じ流下経路で第１の役物球出口３１から排出される。６球目の遊技球は、第１段目の振分部４１で左出球部４１Ｌに振り分けられ、第２の振分部４２で右出球部４２Ｒに振り分けられ、第３の振分部４３で左出球部４３Ｌに振り分けられて第３の役物球出口３３から排出される。７球目の遊技球は、１，３，５球目と同じ流下経路で第１の役物球出口３１から排出される。８球目の遊技球は、４球目と同じ流下経路で第２の役物球出口３２から排出される。そして、「８球目」の遊技球が排出された時点で、第１〜第３の流下振分可動部材５１〜５３は全て第１傾動位置（１球目の遊技球が入る前の元の状態）に戻される。
【００７０】
この構成では、４種類の流下経路を一定の順番で毎回変えながら遊技球を流下させることができ、遊技球の排出頻度は、第１〜第４の役物球出口３１〜３４の順に、「１／２」、「１／４」、「１／８」、「１／８」となる。なお、これら４つの役物球出口３１〜３４のうち、何れか１つ（例えば、排出頻度が比較的低い第３の役物球出口３３又は第４の役物球出口３４）の下方に、遊技者に特典（賞球、当否判定抽選）を付与する入賞部を配置してもよい。なお、図６（Ａ）に示すように、第１及び第２の役物球出口３１，３２の位置と、第３及び第４の役物球出口３３，３４の位置とを上下方向でずらして配置してもよいし、第１〜第４の役物球出口３１〜３４が横一列に並ぶにように、第１の右出球部４１Ｒ及び第２の左出球部４２Ｌを下方に延長してもよい。
【００７１】
（３）また、図６（Ｂ）に示す振分役物４０のように、第３の振分部４３に備えた左出球部４３Ｌを、第２の振分部４２に備えた左出球部４２Ｌに合流させて、その合流部４６に第２の役物球出口３２を連ねる一方、第３の振分部４３に備えた右出球部４３Ｒを第３の役物球出口３３に連ねた構成としてもよい。この構成にした場合、遊技球は、以下のような流下経路で流下する。
【００７２】
例えば、第１〜第３の流下振分可動部材５１〜５３が全て第１傾動位置の状態で振分役物４０に進入した遊技球を「１球目」とすると、１球目の遊技球は、第１段目の振分部４１で右出球部４１Ｒに振り分けられて第１の役物球出口３１から排出される。２球目の遊技球は、第１段目の振分部４１で左出球部４１Ｌに振り分けられ、第２の振分部４２で右出球部４２Ｒに振り分けられ、第３の振分部４３で右出球部４３Ｒに振り分けられて第３の役物球出口３３から排出される。３球目の遊技球は、１球目と同じ流下経路で第１の役物球出口３１から排出される。４球目の遊技球は、第１段目の振分部４１で左出球部４１Ｌに振り分けられ、第２の振分部４２で左出球部４２Ｌに振り分けられて第２の役物球出口３２から排出される。５球目の遊技球は、１，３球目と同じ流下経路で第１の役物球出口３１から排出される。６球目の遊技球は、第１段目の振分部４１で左出球部４１Ｌに振り分けられ、第２の振分部４２で右出球部４２Ｒに振り分けられ、第３の振分部４３で左出球部４３Ｌに振り分けられて第２の役物球出口３２から排出される。７球目の遊技球は、１，３，５球目と同じ流下経路で第１の役物球出口３１から排出される。８球目の遊技球は、４球目と同じ流下経路で第２の役物球出口３２から排出される。そして、「８球目」の遊技球が排出された時点で、第１〜第３の流下振分可動部材５１〜５３は全て第１傾動位置（１球目の遊技球が入る前の元の状態）に戻される。
【００７３】
この構成では、４種類の流下経路を一定の順番で毎回変えながら遊技球を流下させることができ、遊技球の排出頻度は、第１〜第３の役物球出口３１，３２，３３の順に、「１／２」，「３／８」、「１／８」となる。これら３つの役物球出口３１，３２，３３のうち、何れか１つ（例えば、排出頻度が最も低い第３の役物球出口３３）の下方に、遊技者に特典（賞球、当否判定抽選）を付与する入賞部を配置してもよい。
【００７４】
（４）また、図７（Ａ）に示すように、第３の振分部４３に備えた右出球部４３Ｒを、第１段目の振分部４１に備えた右出球部４１Ｒに合流させて、その合流部４７に第１の役物球出口３１を連ねる一方、左出球部４３Ｌを第３の役物球出口３３に連ねた構成としてもよい。この構成にした場合、遊技球は、以下のような流下経路で流下する。
【００７５】
例えば、第１〜第３の流下振分可動部材５１〜５３が全て第１傾動位置の状態で振分役物４０に進入した遊技球を「１球目」とすると、１球目の遊技球は、第１段目の振分部４１で左出球部４１Ｌに振り分けられて第１の役物球出口３１から排出される。２球目の遊技球は、第１段目の振分部４１で左出球部４１Ｌに振り分けられ、第２の振分部４２で右出球部４２Ｒに振り分けられ、第３の振分部４３で右出球部４３Ｒに振り分けられて第１の役物球出口３１から排出される。３球目の遊技球は、１球目と同じ流下経路で第１の役物球出口３１から排出される。４球目の遊技球は、第１段目の振分部４１で左出球部４１Ｌに振り分けられ、第２の振分部４２で左出球部４２Ｌに振り分けられて第２の役物球出口３２から排出される。５球目の遊技球は、１，３球目と同じ流下経路で第１の役物球出口３１から排出される。６球目の遊技球は、第１段目の振分部４１で左出球部４１Ｌに振り分けられ、第２の振分部４２で右出球部４２Ｒに振り分けられ、第３の振分部４３で左出球部４３Ｌに振り分けられて第３の役物球出口３３から排出される。７球目の遊技球は、１，３，５球目と同じ流下経路で第１の役物球出口３１から排出される。８球目の遊技球は、４球目と同じ流下経路で第２の役物球出口３２から排出される。そして、「８球目」の遊技球が排出された時点で、第１〜第３の流下振分可動部材５１〜５３は全て第１傾動位置（１球目の遊技球が入る前の元の状態）に戻される。
【００７６】
この構成では、４種類の流下経路を一定の順番で毎回変えながら遊技球を流下させることができ、排出頻度は、第１〜第３の役物球出口３１，３２，３３の順に、「５／８」、「１／４」、「１／８」となる。これら３つの役物球出口３１，３２，３３のうち、何れか１つ（例えば、排出頻度が最も低い第３の役物球出口３３）の下方に、遊技者に特典（賞球、当否判定抽選）を付与する入賞部を配置してもよい。
【００７７】
（５）さらに、図７（Ｂ）に示すように、第３の振分部４３に備えた左出球部４３Ｌを、第２の振分部４２に備えた左出球部４２Ｌに合流させて、その合流部４６に第２の役物球出口３２を連ねる一方、右出球部４３Ｒを、第１段目の振分部４１に備えた右出球部４１Ｒに合流させて、その合流部４７に第１の役物球出口３１を連ねた構成としてもよい。この構成にした場合、遊技球は、以下のような流下経路で流下する。
【００７８】
例えば、第１〜第３の流下振分可動部材５１〜５３が全て第１傾動位置の状態で振分役物４０に進入した遊技球を「１球目」とすると、１球目の遊技球は、第１段目の振分部４１で右出球部４１Ｒに振り分けられて第１の役物球出口３１から排出される。２球目の遊技球は、第１段目の振分部４１で左出球部４１Ｌに振り分けられ、第２の振分部４２で右出球部４１Ｒに振り分けられ、第３の振分部４３で右出球部４３Ｒに振り分けられて第１の役物球出口３１から排出される。３球目の遊技球は、１球目と同じ流下経路で第１の役物球出口３１から排出される。４球目の遊技球は、第１段目の振分部４１で左出球部４１Ｌに振り分けられ、第２の振分部４２で左出球部４２Ｌに振り分けられて第２の役物球出口３２から排出される。５球目の遊技球は、１，３球目と同じ流下経路で第１の役物球出口３１から排出される。６球目の遊技球は、第１段目の振分部４１で左出球部４１Ｌに振り分けられ、第２の振分部４２で右出球部４２Ｒに振り分けられ、第３の振分部４３で左出球部４３Ｌに振り分けられて第２の役物球出口３２から排出される。７球目の遊技球は、１，３，５球目と同じ流下経路で第１の役物球出口３１から排出される。８球目の遊技球は、４球目と同じ流下経路で第２の役物球出口３２から排出される。そして、「８球目」の遊技球が排出された時点で、第１〜第３の流下振分可動部材５１〜５３は全て第１傾動位置（１球目の遊技球が入る前の元の状態）に戻される。
【００７９】
この構成では、４種類の流下経路を一定の順番で毎回変えながら遊技球を流下させることができ、第１の役物球出口３１からの排出頻度は「５／８」となり、第２の役物球出口３２からの排出頻度は「３／８」となる。これら２つの役物球出口３１，３２のうち、何れか１つ（例えば、排出頻度が比較的低い第２の役物球出口３２）の下方に、遊技者に特典（賞球、当否判定抽選）を付与する入賞部を配置してもよい。
【００８０】
（６）図８（Ａ）に示すように、上記実施形態における合流部４４に第３の振分部４３（入球部４３Ｅ）を連ねて、その第３の振分部４３に備えた右出球部４３Ｒと左出球部４３Ｌとに、第１の役物球出口３１及び第３の役物球出口３３を連ねた構成としてもよい。この構成にした場合、遊技球は、以下のような流下経路で流下する。
【００８１】
例えば、第１〜第３の流下振分可動部材５１〜５３が全て第１傾動位置の状態で振分役物４０に進入した遊技球を「１球目」とすると、１球目の遊技球は、第１段目の振分部４１で右出球部４１Ｒに振り分けられ、合流部４４を経て、第３の振分部４３で右出球部４３Ｒに振り分けられて第１の役物球出口３１から排出される。２球目の遊技球は、第１段目の振分部４１で左出球部４１Ｌに振り分けられ、第２の振分部４２で右出球部４２Ｒに振り分けられ、第３の振分部４３で左出球部４３Ｌに振り分けられて第３の役物球出口３３から排出される。３球目の遊技球は、１球目と同じ流下経路で第１の役物球出口３１から排出される。４球目の遊技球は、第１段目の振分部４１で左出球部４１Ｌに振り分けられ、第２の振分部４２で左出球部４２Ｌに振り分けられて第２の役物球出口３２から排出される。５球目の遊技球は、第１段目の振分部４１で右出球部４１Ｒに振り分けられ、合流部４４を経て、第３の振分部４３で左出球部４３Ｌに振り分けられて第３の役物球出口３３から排出される。６球目の遊技球は、第１段目の振分部４１で左出球部４１Ｌに振り分けられ、第２の振分部４２で右出球部４２Ｒに振り分けられ、第３の振分部４３で右出球部４３Ｒに振り分けられて第１の役物球出口３１から排出される。７球目の遊技球は、５球目と同じ流下経路で流下して第３の役物球出口３３から排出される。８球目の遊技球は、４球目と同じ流下経路で第１の役物球出口３１から排出される。そして、「８球目」の遊技球が排出された時点で、第１〜第３の流下振分可動部材５１〜５３は全て第１傾動位置（１球目の遊技球が入る前の元の状態）に戻される。
【００８２】
この構成では、５種類の流下経路を一定の順番で毎回変えながら遊技球を流下させることができ、排出頻度は、第１〜第３の役物球出口３１，３２，３３の順に、「３／８」、「１／４」、「３／８」となる。なお、これら３つの役物球出口３１，３２，３３のうち、何れか１つ（例えば、排出頻度が比較的低い第２の役物球出口３２）の下方に、遊技者に特典（賞球、当否判定抽選）を付与する入賞部を配置してもよい。なお、図８（Ａ）に示すように、第２の役物球出口３２の位置と、第１及び第３の役物球出口３１，３３の位置とを上下方向でずらして配置してもよいし、これら３つの役物球出口３１，３２，３２が、横一列に並ぶように、左出球部４２Ｌを下方に延長してもよい。
【００８３】
（７）上記実施形態では、第１段目の振分部４１の左出球部４１Ｌ及び右出球部４１Ｒに連なる下段側の振分部４２の数を異ならせかつ、振分部４１，４２の出球部４１Ｒ，４２Ｒ同士が連絡した合流部４４を備えた構成であったが、第１段目の振分部４１の左右の出球部４１Ｌ，４１Ｒに連なる下段側の振分部の数を同一としかつ合流部を備えた構成としてもよい。具体的には、図８（Ｂ）に示すように、第１段目の振分部４１に備えた左出球部４１Ｌに第２の振分部４２を連ねると共に、右出球部４１Ｒに第３の振分部４３を連ねて、その第３の振分部４３に備えた左出球部４３Ｌと、第２の振分部４２に備えた右出球部４２Ｒとを合流させ、その合流部４５に第３の役物球出口３３を連ね、第２の振分部４２の左出球部４２Ｌに第２の役物球出口３２を連ね、第３の振分部４３の右出球部４３Ｒに第１の役物球出口３１を連ねた構成にしてもよい。この構成にした場合、遊技球は、以下のような流下経路で流下する。
【００８４】
例えば、第１〜第３の流下振分可動部材５１〜５３が全て第１傾動位置の状態で振分役物４０に進入した遊技球を「１球目」とすると、１球目の遊技球は、第１段目の振分部４１で右出球部４１Ｒに振り分けられ、第３の振分部４３で右出球部４３Ｒに振り分けられて第１の役物球出口３１から排出される。２球目の遊技球は、第１段目の振分部４１で左出球部４１Ｌに振り分けられ、第２の振分部４２で右出球部４２Ｒに振り分けられて、第３の役物球出口３３から排出される。３球目の遊技球は、第１段目の振分部４１で右出球部４１Ｒに振り分けられ、第３の振分部４３で左出球部４３Ｌに振り分けられて第３の役物球出口３３から排出される。４球目の遊技球は、第１段目の振分部４１で左出球部４１Ｌに振り分けられ、第２の振分部４２で左出球部４２Ｌに振り分けられて第２の役物球出口３２から排出される。そして、「４球目」の遊技球が排出された時点で、第１〜第３の流下振分可動部材５１〜５３は全て第１傾動位置（１球目の遊技球が入る前の元の状態）に戻される。
【００８５】
この構成では、４種類の流下経路を一定の順番で毎回変えながら遊技球を流下させることができ、排出頻度は、第１〜第３の役物球出口３１，３２，３３の順に、「１／４」、「１／４」、「１／２」となる。なお、これら３つの役物球出口３１，３２，３３のうち、何れか１つ（例えば、排出頻度が比較的低い第１又は第２の役物球出口３１，３２）の下方に、遊技者に特典（賞球、当否判定抽選）を付与する入賞部を配置してもよい。
【００８６】
（８）上記実施形態では、第１段目の振分部４１の左出球部４１Ｌ及び右出球部４１Ｒに連なる下段側の振分部４２の数を異ならせかつ、振分部４１，４２の出球部４１Ｒ，４２Ｒ同士が連絡した合流部４４を備えた構成であったが、左右の出球部４１Ｌ，４１Ｒに連なる下段側の振分部の数を同一としかつ、合流部を備えていない構成にしてもよい。具体的には、図９に示すように、第１段目の振分部４１の左出球部４１Ｌに第２の振分部４２（入球部４２Ｅ）を連ね、第１段目の振分部４１の右出球部４１Ｒに第３の振分部４３（入球部４３Ｅ）を連ねて、第３の振分部４３の右出球部４３Ｒ及び左出球部４３Ｌをそれぞれ第１の役物球出口３１、第２の役物球出口３２に連ね、第２の振分部４２の右出球部４２Ｒ及び左出球部４２Ｌをそれぞれ第３の役物球出口３３、第４の役物球出口３４に連ねた構成にしてもよい。この構成にした場合、遊技球は以下のような流下経路で流下する。
【００８７】
例えば、第１〜第３の流下振分可動部材５１〜５３が全て第１傾動位置の状態で振分役物４０に進入した遊技球を「１球目」とすると、１球目の遊技球は、第１段目の振分部４１で右出球部４１Ｒに振り分けられ、第３の振分部４３で右出球部４３Ｒに振り分けられて第１の役物球出口３１から排出される。２球目の遊技球は、第１段目の振分部４１で左出球部４１Ｌに振り分けられ、第２の振分部４２で右出球部４２Ｒに振り分けられて、第３の役物球出口３３から排出される。３球目の遊技球は、第１段目の振分部４１で右出球部４１Ｒに振り分けられ、第３の振分部４３で左出球部４３Ｌに振り分けられて第２の役物球出口３２から排出される。４球目の遊技球は、第１段目の振分部４１で左出球部４１Ｌに振り分けられ、第２の振分部４２で左出球部４２Ｌに振り分けられて第４の役物球出口３４から排出される。そして、「４球目」の遊技球が排出された時点で、第１〜第３の流下振分可動部材５１〜５３は全て第１傾動位置（１球目の遊技球が入る前の元の状態）に戻される。
【００８８】
この構成では、４種類の流下経路を一定の順番で毎回変えながら遊技球を流下させることができ、各役物球出口３２，３３，３７，３８からの遊技球の排出頻度は、全て等しく「１／４」となる。
【００８９】
（９）上記実施形態では、流下振分可動部材５１，５２の左規制部５１Ｂ，５２Ｂ及び右規制部５１Ｃ，５２Ｃを傾動規制ストッパ３５，３６に当接させることで、流下振分可動部材５１，５２を第１傾動位置と第２傾動位置とに位置決めしていたが、磁力やバネの付勢力等を利用して位置決めするようにしてもよい。
【００９０】
（１０）上記実施形態では、振分役物４０に備えた第２の役物球出口３２を始動入賞部１６の真上に配置していたが、振分役物４０に備えた何れか１つの役物球出口（例えば、第２の役物球出口３２）を、始動入賞部１６以外の他の入賞部（普通入賞部１５、大入賞部１８）や入賞ゲート１４の上方に配置してもよい。また、上記実施形態では、遊技球の排出頻度が比較的低い第２の役物球出口３２を入賞部（始動入賞部１６）の上方に配置していたが、遊技球の排出頻度が比較的高い第１の役物球出口３１を、入賞部（始動入賞部１６等）の真上に配置してもよい。なお、第１及び第２の役物球出口３１，３２の真下に入賞部を配置しなくてもよい。
【００９１】
（１１）上記実施形態では、流下振分可動部材５１，５２が、回動軸５１Ｊ，５２Ｊから放射状に上方規制部５１Ａ，５２Ａと左規制部５１Ｂ，５２Ｂと右規制部５１Ｃ，５２Ｃとが張り出した羽根車構造をなしていたが、これに限るものではなく、遊技球を受け入れる第１と第２の受容部とを備えて、それら受容部に受け入れた遊技球の自重によって、第１傾動位置と第２傾動位置との間で回動するものであれば、本実施形態以外の形状であってもよい。
【００９２】
（１２）上記実施形態では、振分役物４０が表示枠１２Ｗの下方に配置されていたが、振分役物４０を表示枠１２Ｗの内側或いは表示枠１２Ｗの一部として備えていてもよい。また、例えば、表示枠１２Ｗの内側に遊技球が転動可能なステージを設けた場合に、表示枠１２Ｗの外側からステージに遊技球を誘導するための誘導路の入口と、振分役物４０に備えた複数の役物球出口の何れか一つとを連通させてもよい。
【００９３】
（１３）上記実施形態では、始動入賞部１６の上方に振分役物４０が配置されていたが、振分役物４０自体を、上述した「始動入賞部」として備えていてもよい。具体的には、例えば、役物球入口３０の開口縁の左右両側に開閉可能な１対の可動翼片を設けると共に、第２の振分部４２の左出球部４２Ｌを通過した遊技球を検出するセンサを設けておき、そのセンサが遊技球を検出したことを条件にして当否判定が行われかつ、液晶表示部１２で特別図柄の変動表示が行われる構成にしてもよい。
【００９４】
（１４）上記実施形態では、振分役物４０を通過した遊技球が役物球出口から遊技領域Ｒ１上に排出されるように構成されていたが、複数の役物球出口のうち、特定の役物球出口（例えば、上記実施形態における第１の役物球出口３１）から排出された遊技球は、遊技領域Ｒ１ではなく、そのまま遊技盤１１の裏側に回収されるような構成にしてもよい。
【００９５】
（１５）上記実施形態では、遊技機の一例としてパチンコ遊技機１０を例示したが、本発明はこれに限るものではなく、アレンジボール、スマートボール、ピンボール等、遊技球を使用する他の遊技機に本発明を適用してもよい。
【符号の説明】
【００９６】
１０    パチンコ遊技機（遊技機）
１６    始動入賞部
３０    役物球入口
３１    第１の役物球出口
３２    第２の役物球出口
３３    第３の役物球出口
３４    第４の役物球出口
３５，３６    傾動規制ストッパ
４０    振分役物
４１    第１段目の振分部
４１Ｌ    左出球部（第１段目の振分部の一方の出球部）
４１Ｒ    右出球部（第１段目の振分部の他方の出球部）
４２    第２の振分部
４２Ｅ    入球部
４２Ｌ    左出球部（第２の振分部の一方の出球部）
４２Ｒ    右出球部（第２の振分部の他方の出球部）
４３    第３の振分部
４３Ｅ    入球部
４３Ｌ    左出球部
４３Ｒ    右出球部
４４，４５    合流部
５１，５２    流下振分可動部材
５１Ａ，５２Ａ    上方規制部
５１Ｂ，５２Ｂ    左規制部（第１規制部）
５１Ｃ，５２Ｃ    右規制部（第２規制部）
５１Ｊ，５２Ｊ    回動軸
５１Ｌ，５２Ｌ    左受容部（第１の受容部）
５１Ｒ，５２Ｒ    右受容部（第２の受容部）
Ｇ１，Ｇ２    重心
Ｒ１    遊技領域
【図１】
2015202263.tif 000003
【図２】
2015202263.tif 000004
【図３】
2015202263.tif 000005
【図４】
2015202263.tif 000006
【図５】
2015202263.tif 000007
【図６】
2015202263.tif 000008
【図７】
2015202263.tif 000009
【図８】
2015202263.tif 000010
【図９】
2015202263.tif 000011